(57)【要約】【課題】使用者が指定した方向へ確実に放音、収音又は放収音することができる放収音装置を提供する。【解決手段】放収音装置１には、装置筐体の略中央を中心として放射状に方位ボタン１２が配置されており、各々の方位ボタン１２a〜１２ｐは指定方向に対応している。方位ボタン１２の押下で、放収音装置１は、押下した方位ボタン１２に対応した指定方向への放収音指定状態となり、設定モードに応じて放音、収音又は放収音可能な状態となる。また、放収音指定状態の指定方向に対応した方位ボタン１２を押下すると、放収音装置１は該当方向への放収音指定状態を解除する。【選択図】図１
2008042261.tif 000002
【特許請求の範囲】
【請求項１】
複数の指定方向のそれぞれに対して、指向性を持たせて放音若しくは収音の少なくともいずれか一方を行うことが可能な放収音手段と、
前記放収音手段に対して放収音指定状態の設定・解除を制御する放収音制御手段と、
前記複数の指定方向に各々対応づけて設けられ、対応する指定方向を指示する位置又は向きに設置された複数の方位ボタンとから構成される放収音装置であって、
前記放収音制御手段は、方位ボタンの押下を検出して、対応する指定方向を放収音指定状態に設定し、前記放収音手段に当該指定方向へ放収音させる放収音装置。
【請求項２】
前記放収音制御手段は、方位ボタンの押下を検出して、対応する指定方向を放収音指定状態に設定し、前記放収音手段に当該指定方向へ放音のみ行わせる請求項１の放収音装置。
【請求項３】
前記放収音制御手段は、方位ボタンの押下を検出して、対応する指定方向を放収音指定状態に設定し、前記放収音手段に当該指定方向へ収音のみ行わせる請求項１の放収音装置。
【請求項４】
前記放収音制御手段は、放収音指定状態の方位ボタンが再度押下されたことを検出し、
該当する方位ボタンに対応する指定方向への放収音指定状態を解除する請求項１〜請求項３に記載の放収音装置。
【請求項５】
前記複数の方位ボタンは、放収音指定状態時に発光し、放収音指定状態の解除時に発光しない発光手段を備えた請求項１〜請求項４に記載の放収音装置。
【請求項６】
前記複数の方位ボタンと同等の複数の離間操作用方位ボタンと、
押下された離間操作用方位ボタンに応じた方位ボタン指定信号を送信する指定信号送信手段と、を有する遠隔操作装置を備え、
前記放収音制御手段は、前記方位ボタン指定信号を受信して、前記放収音指定状態の設定・解除を行う請求項１〜請求項５に記載の放収音装置。
【請求項７】
全方位への収音停止を設定・解除する全方位収音停止ボタンを備え、
前記全方位収音停止ボタンの押下を検出して、全方位からの収音を停止し、
更に、前記全方位収音停止ボタンの再押下を検出して、全方位収音停止ボタンの押下前の状態に戻す請求項１〜６に記載の放収音装置。
【発明の詳細な説明】
【技術分野】
【０００１】
この発明は、使用者が指定した方向に放音、収音又は放収音の状態指定を行うことができる放収音装置に関するものである。
【背景技術】
【０００２】
従来、遠隔地間で会議を行う方法として、会議を行う地点毎に放収音装置を配置し、これら装置をネットワークで接続して、音声信号を通信する方法が多く用いられている。そして、このような会議に利用される放収音装置が各種考案されている。
【０００３】
特許文献１のテレビ会議システムは、複数のセンサを利用して参加者の位置を検出している。そして、参加者の位置を検出すると、参加者を検出した方向へ放収音を行っている。また、会議中に参加者が移動した場合は、参加者の移動を検出して放収音先を変更している。
【特許文献１】特開２０００−０４１２２８公報
【発明の開示】
【発明が解決しようとする課題】
【０００４】
しかしながら、特許文献１のテレビ会議システムでは、複数のセンサが必要になるためシステムのコストが増大する。また、センサの計測ミスや誤動作により、参加者の位置を正しく検出できない。
【０００５】
したがって、この発明の目的は、使用者が指定した方向へ確実に放収音することができる放収音装置を提供することにある。
【課題を解決するための手段】
【０００６】
請求項１の発明は、複数の指定方向のそれぞれに対して、指向性を持たせて放音若しくは収音の少なくともいずれか一方を行うことが可能な放収音手段と、前記放収音手段に対して放収音指定状態の設定・解除を制御する放収音制御手段と、前記複数の指定方向に各々対応づけて設けられ、対応する指定方向を指示する位置又は向きに設置された複数の方位ボタンとから構成される放収音装置であって、前記放収音制御手段は、方位ボタンの押下を検出して、対応する指定方向を放収音指定状態に設定し、前記放収音手段に当該指定方向へ放収音させることを特徴とする。
【０００７】
この構成では、複数の指定方向に対応した方位ボタンを押下することで、放収音指定状態を設定・解除でき、放収音指定状態の設定時、複数の指定方向に対して、指向性を持たせて放音若しくは収音の少なくともいずれか一方を行うことができる放収音装置に対して、方位ボタンを押下することで、各方位ボタンが指示する指定方向への放収音指定状態を設定し、指向性を持って音声が放収音される。
【０００８】
これにより、利用者は、放収音させたい方向に対応する方位ボタンを押下することで、放収音可能な状態にすることができる。例えば、複数の方位ボタンを、装置筐体の略中心から各々対応する指定方向に向いて配置することにより、各方位ボタンに対応した指定方向が明確になる。この結果、利用者は、放収音させたい方向、放収音させたくない方向に対応する方位ボタンが一目でわかり、これら方位ボタンを押下することで、放収音の方向を容易に設定することができる。
【０００９】
請求項２の発明は、前記放収音制御手段は、方位ボタンの押下を検出して、対応する指定方向を放収音指定状態に設定し、前記放収音手段に当該指定方向へ放音のみ行わせることを特徴とする。
【００１０】
この構成では、方位ボタンの押下により、各方位ボタンが指示する指定方向への放収音指定状態が設定され、指向性を持って音声が放音される。これにより、利用者は、放音させたい方向に対応する方位ボタンを押下することで、当該指定方向を放音可能な状態にすることができる。
【００１１】
請求項３の発明は、前記放収音制御手段は、方位ボタンの押下を検出して、対応する指定方向を放収音指定状態に設定し、前記放収音手段に当該指定方向へ収音のみ行わせることを特徴とする。
【００１２】
この構成では、方位ボタンの押下により、各方位ボタンが指示する指定方向への放収音指定状態が設定され、指向性を持って音声が収音される。これにより、利用者は、収音させたい方向に対応する方位ボタンを押下することで、当該指定方向を収音可能な状態にすることができる。
【００１３】
請求項４の発明は、前記放収音制御手段は、放収音指定状態の方位ボタンが再度押下されたことを検出し、該当する方位ボタンに対応する指定方向への放収音指定状態を解除することを特徴とする。
【００１４】
この構成では、放収音指定状態が設定されている状態で、方位ボタンの再押下を検出すると、各方位ボタンが指示する指定方向への放収音指定状態を解除し、放音、収音又は放収音を停止する。これにより、利用者は、放音、収音又は放収音させたくない方向に対応する方位ボタンを押下することで、当該指定方向を放音、収音又は放収音をしない状態にすることができる。
【００１５】
請求項５の発明は、前記複数の方位ボタンは、放収音指定状態時に発光し、放収音指定状態の解除時に発光しない発光手段を備えたことを特徴とする。
【００１６】
この構成では、複数の方位ボタンは、各々放収音指定状態の時に発光し、放収音指定状態の解除時に発光しない。これにより、放音、収音又は放収音可能な状態の方位ボタンが明確になるので、利用者は、放音、収音又は放収音可能な状態に設定されている指定方向が一目でわかる。
【００１７】
請求項６の発明は、前記複数の方位ボタンと同等の複数の離間操作用方位ボタンと、押下された離間操作用方位ボタンに応じた方位ボタン指定信号を送信する指定信号送信手段と、を有する遠隔操作装置を備え、前記放収音制御手段は、前記方位ボタン指定信号を受信して、前記放収音指定状態の設定・解除を行うことを特徴とする。
【００１８】
この構成では、遠隔操作装置にも指定方向に対応した複数の方位ボタンが設けられる。遠隔操作装置に設けられた方位ボタンの押下により、遠隔操作装置は、押下された方位ボタンに関する信号を装置本体へ送信する。装置本体は、受信した信号により、放収音指定状態又は放収音指定状態の解除状態に設定する。これにより、利用者は、装置本体から離れた場所で、遠隔操作装置を操作して放音、収音又は放収音可能な方向を設定することができるので、わざわざ本体装置まで移動して操作しなくてもよい。
【００１９】
請求項７の発明は、全方位への収音停止を設定・解除する全方位収音停止ボタンを備え、前記全方位収音停止ボタンの押下を検出して、全方位からの収音を停止し、更に、前記全方位収音停止ボタンの再押下を検出して、全方位収音停止ボタンの押下前の状態に戻すことを特徴とする。
【００２０】
この構成では、全方位収音停止ボタンを押下すると、全方位からの収音を停止、又は収音を再開する。これにより、利用者は、遠隔地の参加者に会話の内容を知られずに、自装置側だけで相談することができる。
【発明の効果】
【００２１】
以上のように、この発明によれば、各方位ボタンに対応した指定方向が明確であり、方位ボタンの押下により、放音、収音又は放収音可能な状態、不可能な状態にすることが容易にできる。
言い換えれば、使用者が指定する方向へ放音、収音又は放収音させるか否かを簡単に確実に設定することができる。
【発明を実施するための最良の形態】
【００２２】
[第１実施形態]
本発明の第１の実施形態に係る放収音装置について、図１〜３を参照して説明する。
図１（Ａ）は、放収音装置１の平面図である。図１（Ｂ）は、放収音装置１の部分拡大図である。図２は、放収音装置１の放収音機能を示すブロック図である。
図１（Ａ），（Ｂ）、図２に示すように、本実施形態の放収音装置１は、操作部１１、方位指示部２０、入出力コネクタ１４、スピーカアレイ１５（スピーカ１５ａ〜１５ｐ）、マイクアレイ１６（マイク１６ａ〜１６ｐ），１７（マイク１７a〜１７ｐ）等を備えている。また、機能的に、操作部１１、方位指示部２０、通信部２１、方向制御部２２、音声制御部２３、スピーカアレイ１５、マイクアレイ１６，１７を備える。
【００２３】
操作部１１は、複数のボタンと表示画面から構成され、放収音装置１の起動、停止、接続する放収音装置の指定、参加者の登録、放収音先の指定、放収音量の調整等、各種設定ができる。操作部１１は、方位指示部２０にて放音先のみ、収音先のみ、放収音先の両方を指定するための実行モード指定ボタンを備える。具体的には、方位指示部２０にて放音先のみ指定する放音モード、方位指示部２０にて収音先のみ指定する収音モード、方位指示部２０にて放収音先の両方を指定する放収音モード等である。例えば、放収音装置１が、デフォルトで放収音の両方を指定するよう放収音モードに設定されているとすると、初期状態で、参加者に対してスムーズに放収音を行うことができる。そして、参加者が操作部１１にて放音モード又は収音モードの実行モードを指定することで、放音のみ又は収音のみの選択を行うことができる。
また、操作部１１は、方向制御部２２、音声制御部２３に接続されており、参加者からの操作入力を受けて、接続先の放収音装置情報、放音先、収音先、放音音量を含む操作内容等の情報を方向制御部２２、音声制御部２３へ出力するとともに、操作内容や実行モード等を表示画面へ表示する。
【００２４】
方位指示部２０は、方位ボタン１２（１２ａ〜１２ｊ）、全方位収音停止ボタン１３から構成される。方位指示部２０は、方向制御部２２に接続されており、方位ボタン１２又は全方位収音停止ボタン１３による参加者からの操作入力を受けて、方位情報を方向制御部２２へ出力するとともに、参加者が指定した方位への放収音指定状態を設定・解除する。
具体的には、方位ボタン１２は、各々指定方向に対応して設置される。本実施形態では、方位ボタン１２は、装置筐体の略中央を中心として放射状に配置されている。方位ボタン１２の押下により放収音指定状態に設定されると、放収音装置１は、指定方向に対して、放音、収音又は放収音が可能な状態となる。
また、方位ボタン１２は、ＬＥＤ等の発光体を備えており、放収音指定状態の設定時は発光し、放収音指定状態の解除時は発光しない。これにより、参加者は放収音装置１がどの方位に放音可能、収音可能又は放収音可能か容易にわかる。
なお、方位ボタン１２は放収音装置１の指定方向を明確にできればよいので、装置筐体の略中央を中心として放射状に配置されていれば、１０個に限らず放収音仕様に応じて幾つでもよく、発光しなくてもよい。
【００２５】
以下に、放収音装置１の実行モードを（１）放音モード、（２）収音モード、（３）放収音モードに設定された場合に分けて、方位ボタン１２、全方位収音停止ボタン１３押下時の放収音装置１の動作と、そのときの方向制御部２２、音声制御部２３の処理について示す。
【００２６】
（１）方位指示部にて放音先を指定する放音モードの場合
方位ボタン１２が押下されると、放収音装置１は、放収音指定状態となり、入力された音声信号を方位ボタン１２に対応した指定方位へ放音する。再度、方位ボタン１２が押下されると、放収音装置１は、放収音指定状態を解除し、その指定方向への放音を停止する。
【００２７】
また、全方位収音停止ボタン１３が押下されると、全方位収音停止ボタン１３は発光し、全方位からの収音を停止し、放収音指定状態に設定された方位ボタン１２に対応した指定方向に放音する。再度、全方位収音停止ボタン１３が押下されると、収音を開始する。
【００２８】
このとき、方向制御部２２は、操作部１１及び方位指示部２０から入力された操作入力内容(放音先Ｄｉｒ等)から生成した、各スピーカ１５ａ〜１５ｐの放音先を指定する方向信号（ＤＳ）を音声制御部２３へ出力する。
【００２９】
音声制御部２３は、操作部１１から入力された操作入力内容（放音音量Ｖｏｌ等）、方向制御部２２から入力された方向信号（ＤＳ）に基づいて、通信部２１から入力されたデジタル音声信号（ＳＤ）に対して、スピーカアレイ１５の各スピーカ１５ａ〜１５ｐ固有の放音指向性制御、Ｄ／Ａ変換、増幅等を行い、生成したアナログ音声信号（ＳＡ）をスピーカアレイ１５の各スピーカ１５ａ〜１５ｐに出力する。
また、音声制御部２３は、マイクアレイ１６，１７よりアナログ音声信号（ＳＡ）が入力されると、アナログ音声信号（ＳＡ）に対して、増幅、Ａ／Ｄ変換、収音指向性制御等を行い、操作部１１から入力された操作入力内容（接続先の放収音装置情報Ａｐｐ等）を追加して生成したデジタル音声信号（ＳＤ）を通信部２１へ出力する。
【００３０】
（２）方位指示部にて収音先を指定する収音モードの場合
方位ボタン１２が押下されると、放収音装置１は、放収音指定状態となり、方位ボタン１２に対応した指定方向から収音した音声信号を出力する。再度、方位ボタン１２が押下されると、放収音装置１は、放収音指定状態を解除し、指定方向から収音した音声信号を出力しない。
【００３１】
また、方位ボタン１２が押下された状態で、全方位収音停止ボタン１３が押下されると、全方位収音停止ボタン１３は発光し、全方位からの収音を停止する。再度、全方位収音停止ボタン１３が押下されると、放収音指定状態に設定された方位ボタン１２に対応する指定方向からの収音を開始する。
【００３２】
このとき、方向制御部２２は、操作部１１及び方位指示部２０から入力された操作入力内容(収音先Ｄｉｒ等)から生成した、各マイク１６ａ〜１６ｐ，１７ａ〜１７ｐで収音した音声信号を出力するか否かを指定する方向信号（ＤＳ）を音声制御部２３へ出力する。
【００３３】
音声制御部２３は、マイクアレイ１６，１７よりアナログ音声信号（ＳＡ）が入力されると、アナログ音声信号（ＳＡ）に対して、増幅、Ａ／Ｄ変換を行い、収音指向性制御等を行う。音声制御部２３は、方向制御部２２から入力された方向信号（ＤＳ）に基づいて通信部２１へ出力する信号を選択する。そして、音声制御部２３は、対応する信号を取り出し、操作部１１から入力された操作入力内容（接続先の放収音装置情報Ａｐｐ等）を追加して生成したデジタル音声信号（ＳＤ）を通信部２１へ出力する。
なお、音声制御部２３は、通信部２１から入力されたデジタル音声信号（ＳＤ）に対して、スピーカアレイ１５の各スピーカ１５ａ〜１５ｐ固有の放音指向性制御、Ｄ／Ａ変換、増幅等を行い生成したアナログ音声信号（ＳＡ）をスピーカアレイ１５に出力する。
【００３４】
（３）方位指示部にて放収音先を指定する放収音モードの場合
方位ボタン１２が押下されると、放収音装置１は、放収音指定状態となり、入力された音声信号を方位ボタン１２に対応した指定方向へ放音し、指定方向から収音した音声信号を出力する。再度、方位ボタン１２が押下されると、放収音装置１は、放収音指定状態を解除し、指定方向への放音を停止し、指定方向から収音した音声信号を出力しない。
【００３５】
また、全方位収音停止ボタン１３が押下されると、全方位収音停止ボタン１３は発光し、全方位からの収音を停止し、放収音指定状態に設定された方位ボタン１２に対応された指定方向に放音する。再度、全方位収音停止ボタン１３が押下されると、放収音指定状態に設定された方位ボタン１２に対応した方向からの収音を開始し、対応する指定方向へ放収音する。
【００３６】
このとき、方向制御部２２は、操作部１１及び放音操作部２０から入力された操作入力内容(放収音先Ｄｉｒ等)から生成した、各スピーカ１５ａ〜１５ｐ、各マイク１６ａ〜１６ｐ，１７ａ〜１７ｐの放収音先を指定する方向信号（ＤＳ）を音声制御部２３へ出力する。
【００３７】
音声制御部２３は、操作部１１から入力された操作入力内容（放音音量Ｖｏｌ等）、方向制御部２２から入力された方向信号（ＤＳ）に基づいて、通信部２１から入力されたデジタル音声信号（ＳＤ）に対して、スピーカアレイ１５の各スピーカ１５ａ〜１５ｐ固有の放音指向性制御、Ｄ／Ａ変換、増幅等を行い生成したアナログ音声信号（ＳＡ）をスピーカアレイ１５に出力する。
また、音声制御部２３は、マイクアレイ１６，１７よりアナログ音声信号（ＳＡ）が入力されると、アナログ音声信号（ＳＡ）に対して、増幅、Ａ／Ｄ変換を行い、収音指向性制御等を行う。そして、音声制御部２３は、方向制御部２２から入力された方向信号（ＤＳ）に該当する信号を取り出し、操作部１１から入力された操作入力内容（接続先の放収音装置情報Ａｐｐ等）を追加して生成したデジタル音声信号（ＳＤ）を通信部２１へ出力する。
【００３８】
また、放収音装置１の実行モードに関係なく、全方位収音停止ボタン１３が長押しされると、全方位を放収音指定状態に設定し、全方位への放収音を開始する。再度、全方位収音停止ボタン１３を長押しすると、全方位収音停止ボタン１３の長押し前の状態に戻る。
例えば、実行モードを放音モードに設定した場合は、全方位からの収音と、指定方向への放音を行う。この状態で、全方位放収音停止ボタン１３を長押しすると、全方位に対して放収音指定状態を設定し、全方位への放音を開始するので、全方位への放収音を行うことになる。
【００３９】
なお、放収音装置１の実行モードに関係なく、全方位収音停止ボタン１３が押下されると、全方位収音停止ボタン１３のみを発光させているが、この態様に限るものではない。例えば、全方位収音停止ボタン１３を発光させずに、発光している方位ボタン１２の発光を停止したり、点滅させてもよいし、全方位収音停止ボタン１３を発光させて、発光している方位ボタン１２の発光を停止したり、点滅させてもよい。
更に、方位指定ボタン１２、全方位収音停止ボタン１３、の発光状態は、全方位収音停止ボタン１３の押下と長押しとで変化させてもよい。これにより、参加者は、放収音装置１の放収音状態を知ることができる。
【００４０】
次に、放収音装置１の実行モードに関係なく、共通する構成である入出力コネクタ１４、スピーカアレイ１５、マイクアレイ１６，１７、通信部２１について説明する。
入出力コネクタ１４は、ＬＡＮインタフェース、アナログオーディオ入力端子、アナログオーディオ出力端子、デジタルオーディオ入出力端子等から構成される。入出力コネクタ１４は、通信部２１に接続される。
【００４１】
スピーカアレイ１５は、放収音装置１の背面にある複数個の無指向性のスピーカ１５ａ〜１５ｐから構成され、音声制御部２３から入力されたアナログ音声信号（ＳＡ）を音声に変換して放音する。なお、スピーカアレイ１５は、有指向性のスピーカから構成してもよい。
【００４２】
マイクアレイ１６，１７は放収音装置１の両側面にある複数個のマイク１６ａ〜１６ｐ，１７ａ〜１７ｐから構成され、マイクアレイ１６，１７で収音した音声を電気変換してアナログ音声信号（ＳＡ）を生成し、音声制御部２３へ出力する。
【００４３】
通信部２１は、入出力コネクタ１４を介して、接続先の放収音装置から受信した音声データ（ＶＤ）をネットワークに対応するデータ形式（プロトコル）からデジタル音声信号（ＳＤ）へ変換して、音声制御部２３に与える。
また、通信部２１は、音声制御部２３から入力されたデジタル音声信号（ＳＤ）をネットワークに対応するデータ形式（プロトコル）の音声データ（ＶＤ）に変換して、入出力コネクタ１４を介して、接続先の放収音装置へ送信する。
【００４４】
次に、このような構成及び処理を行う放収音装置の使用例について、図３〜５を参照して説明する。なお、以下に挙げる例は、使用方法の一部であり、これらに類似の使用方法においても本発明の構成及び処理を適用することができる。
図３〜５は、放収音装置１を用いて、遠隔地間で会議を実施している図である。図３（Ａ）、４（Ａ）、５（Ａ）は、会議を開始した時点、図３（Ｂ）、４（Ｂ）、５（Ｂ）は、参加者４ａの座席移動、参加者４ｄの途中参加が発生した時点を示す。
【００４５】
図３（Ａ）、４（Ａ）、５（Ａ）において、会議室に設置された放収音装置１は、インターネット３を介して遠隔地に設置された放収音装置（図示しない）と接続される。放収音装置１は、参加者４（４ａ〜４ｃ）の発音を収音し、前述のような処理を行うことで音声信号を含む音声データを生成して、遠隔地の放収音装置へ音声データを送信する。また、遠隔地の放収音装置から受信した音声データに基づいて音声信号を、参加者４に向けて放音する。
以下に、放収音装置１の実行モードを（１）放音モード、（２）収音モード、（３）放収音モードに設定する場合に分けて使用例を示す。
【００４６】
（１）方位指示部にて放音先を指定する放音モードの場合
会議開始前に、参加者４ａは、放収音装置１の操作部１１を操作して、会議相手の放収音装置の設定をするとともに、放収音装置１の実行モードを放音モードに設定した上で、最初に会議に参加する参加者４ａ〜４ｃの方向へ放音するように方位ボタン１２を用いて放収音指定状態を設定する等の準備を行う。
【００４７】
図３（Ｂ）のように、会議途中に参加者４ａが座席を移動したり、参加者４ｄが途中参加した場合は、放収音装置１の放音先を変更又は新規設定する必要があるので、対応する参加者４は、方位ボタン１２を押下して、放音先を変更する。参加者４ａの座席移動については、参加者４ａは方位ボタン１２ａを押下し、指定方向１２０ａへの放収音指定状態を解除する。更に、参加者４ａは方位ボタン１２ｂを押下し、指定方向１２０ｂへの放収音指定状態を設定する。また、参加者４ｄの途中参加については、参加者４ａは方位ボタン１２ｊを押下し、指定方向１２０ｊへの放収音指定状態を新規に設定する。
なお、各参加者４は、操作部１１を操作して、放音先を変更してもよい。また、移動した参加者４ａが必ずしも方位ボタン１２を押下して指示しなくてもよい。
【００４８】
以上より、本実施形態の放収音装置１では、参加者４は、放音させたい指定方向に対応する方位ボタン１２を押下するだけで、放音先の新規設定や変更を簡単に行うことができる。これにより、放収音装置１は、参加者４が指定する方向に確実に放音することができる。
【００４９】
（２）方位指示部にて収音先を指定する収音モードの場合
会議開始前に、参加者４ａは、放収音装置１の操作部１１を操作して、会議相手の放収音装置の設定をするとともに、放収音装置１の実行モードを収音モードに設定した上で、最初に会議に参加する参加者４ａ〜４ｃの方向から収音するように方位ボタン１２等を用いて放収音指定状態を設定する等の準備を行う。
【００５０】
図４（Ｂ）のように、会議途中に参加者４ａが座席を移動したり、参加者４ｄが途中参加した場合は、放収音装置１の収音先を変更又は新規設定する必要があるので、対応する参加者４は、方位ボタン１２を押下して、収音先を変更する。参加者４ａの座席移動については、参加者４ａは方位ボタン１２ａを押下し、指定方向１２０ａへの放収音指定状態を解除する。更に、参加者４ａは方位ボタン１２ｂを押下し、指定方向１２０ｂへの放収音指定状態を設定する。また、参加者４ｄの途中参加については、参加者４ａは方位ボタン１２ｊを押下し、指定方向１２０ｊへの放収音指定状態を新規に設定する。
なお、参加者４は、操作部１１を操作して、収音先を変更してもよい。また、移動した参加者４ａが必ずしも方位ボタン１２を押下して指示しなくてもよい。
【００５１】
以上より、本実施形態の放収音装置１では、参加者４は、収音したい指定方向に対応する方位ボタン１２を押下するだけで、収音先の新規設定や変更を簡単に行うことができる。これにより、放収音装置１は、参加者４が指定する方向から確実に収音することができる。
【００５２】
（３）方位指示部にて放収音先を指定する放収音モードの場合
会議開始前に、参加者４ａは、放収音装置１の操作部１１を操作して、会議相手の放収音装置の設定をするとともに、放収音装置１の実行モードを放収音モードに設定した上で、最初に会議に参加する参加者４ａ〜４ｃの方向から放収音するように方位ボタン１２等を用いて放収音指定状態を設定する等の準備を行う。
【００５３】
図５（Ｂ）のように、会議途中に参加者４ａが座席を移動したり、参加者４ｄが途中参加した場合は、放収音装置１の放収音先を変更又は新規設定する必要があるので、対応する参加者４は、方位ボタン１２を押下して、放収音先を変更する。参加者４ａの座席移動については、参加者４ａは方位ボタン１２ａを押下し、指定方向１２０ａへの放収音指定状態を解除する。更に、参加者４ａは方位ボタン１２ｂを押下し、指定方向１２０ｂへの放収音指定状態を設定する。また、参加者４ｄの途中参加については、参加者４ａは方位ボタン１２ｊを押下し、指定方向１２０ｊへの放収音指定状態を新規に設定する。
なお、参加者４は、操作部１１を操作して、放収音先を変更してもよい。また、移動した参加者４ａが必ずしも方位ボタン１２を押下して指示しなくてもよい。
【００５４】
以上より、本実施形態の放収音装置１では、参加者４は、放収音させたい指定方向に対応する方位ボタン１２を押下するだけで、放収音先の新規設定や変更を簡単に行うことができる。これにより、放収音装置１は、参加者４が指定する方向に確実に放収音することができる。
【００５５】
[第２実施形態]
次に、本発明の第２実施形態について図６，７を参照して説明する。第２実施形態では、第１実施形態と比較して、放収音装置１本体の方位指示部２０の他に、リモコン５にも方位指示部２０１を有している点が異なっている。
図６（Ａ）は、放収音装置１とリモコン５を用いて、遠隔地間で会議を実施している図である。図６（Ｂ）は、リモコン５の説明図である。図７は、放収音装置１とリモコン５の放収音機能を示すブロック図である。
本実施形態では、放収音装置１の実行モードが方位指示部２０，２０１にて放収音先を指定する放収音モードの場合について示すが、これに限らず、方位指示部２０，２０１にて放音先のみ指定する放音モード、方位指示部２０，２０１にて収音先のみ指定する収音モードでもよい。
【００５６】
図６（Ａ）において、会議室に設置された放収音装置１は、インターネット３を介して遠隔地に設置された放収音装置（図示しない）と接続される。
参加者４（４ａ〜４ｄ）による放収音装置１の操作部１１、方位指示部２０の操作及びリモコン５の操作によって、放収音装置１は放収音先を決定する。なお、リモコン５の個数は、１つを共同で利用してもよいし、複数個でもよい。
【００５７】
図６（Ｂ）のリモコン５は、信号発信部５１、方位指示部２０１から構成され、方位指示部２０１は、方位ボタン５２（５２ａ〜５２ｊ）、全方位収音停止ボタン５３から構成される。
信号発信部５１は、各種ボタン５２，５３が押下されると、放収音装置１に向けて操作入力内容（放収音先Ｄｉｒ２等）を含む信号を発信する。
【００５８】
方位ボタン５２（５２ａ〜５２ｊ）は、放収音装置１の方位ボタン１２（１２ａ〜１２ｊ）と同じ機能を持つ。放収音装置１は、方位ボタン５２ｂを押下されると、方位ボタン１２ｂを押下された場合と同じように、参加者４ａへ向けての放収音を可能にする。
【００５９】
全方位収音停止ボタン５３は、放収音装置１の全方位収音停止ボタン１３と同じ機能を持つ。全方位収音停止ボタン５３を押下すると、放収音装置１は全方向からの収音を停止し、放収音指定状態に設定された方位ボタン１２に対応する指定方向に放音する。再度、全方位収音停止ボタン５３が押下されると、放収音指定状態に設定された方位ボタン１２に対応した方向からの収音を開始し、対応する指定方向へ放収音する。
【００６０】
図７に示すように、リモコン５は、リモコン５の操作入力内容（放収音先Ｄｉｒ２等）を放収音装置１の方向制御部２２に送信する。方向制御部２２は、リモコン５から操作入力内容（放収音先Ｄｉｒ２等）を受信すると、リモコン５の方位指示部２０１により指示された操作入力内容（放収音先Ｄｉｒ２等）から各スピーカ１５ａ〜１５ｐ、各マイク１６a〜１６ｐ，１７ａ〜１７ｐの放収音先を指定する方向信号（ＤＳ）を生成し、音声制御部２３へ出力する。
なお、本実施形態では、リモコン５は、方位指示部２０１の機能を有するのみであるが、操作部１１の機能を追加してもよい。
【００６１】
以上より、本実施形態の放収音装置１では、参加者４は、放収音装置１を直接操作せずに、リモコン５を操作することで、放収音装置１の放収音先を指定することができる。このため、参加者４は座席を立つことなく、その場で放収音先を指定することができる。
【図面の簡単な説明】
【００６２】
【図１】本発明の放収音装置１の平面図である。
【図２】本発明の放収音装置１の放収音機能を示すブロック図である。
【図３】放収音装置１を用いて、遠隔地間で会議を実施している図である。
【図４】放収音装置１を用いて、遠隔地間で会議を実施している図である。
【図５】放収音装置１を用いて、遠隔地間で会議を実施している図である。
【図６】放収音装置１とリモコン５を用いて、遠隔地間で会議を実施している図である。
【図７】放収音装置１とリモコン５の放収音機能を示すブロック図である。
【符号の説明】
【００６３】
１−放収音装置，４（４ａ〜４ｄ）−参加者，３−インターネット，５−リモコン，１１−操作部，１２（１２ａ〜１２ｊ），５２（５２ａ〜５２ｊ）−方位ボタン，１３，５３−全方位収音停止ボタン，１４−入出力コネクタ，１５（１５ａ〜１５ｐ）−スピーカアレイ，１６（１６ａ〜１６ｐ），１７（１７ａ〜１７ｐ）−マイクアレイ，２０−方位指示部，２１−通信部，２２−方向制御部，２３−音声制御部，５１−信号発信部，１２０（１２０ａ，１２０ｂ，１２０ｊ）−指定方向
【図１】
2008042261.tif 000003
【図２】
2008042261.tif 000004
【図３】
2008042261.tif 000005
【図４】
2008042261.tif 000006
【図５】
2008042261.tif 000007
【図６】
2008042261.tif 000008
【図７】
2008042261.tif 000009